(57)【要約】【課題】  床も含めた断熱改修に対応できる窓の提供。【解決手段】  見切材７ａ，７ｂと、既設床材２２の上に重ねて設けた新設床材２４と、内窓１とを備え、見切材７ａ，７ｂは、ふかし枠８ａ，８ｂと、ふかし枠８ａ，８ｂの室内側に取付けたカバー材９ａ，９ｂとからなり、内窓１の下枠４ｂの上端２６が新設床材２４の上面と略同じ高さであり、新設床材２４の室外側端部にアングル２８が設けてあり、縦カバー材９ｂの下端部に小口キャップ２９が取付けてあり、小口キャップ２９が新設床材２４上に載置してある。【選択図】      図１
2014091919.tif 000002
【特許請求の範囲】
【請求項１】
見切材と、既設床材の上に重ねて設けた新設床材と、内窓とを備え、見切材は、ふかし枠と、ふかし枠の室内側に取付けたカバー材とからなり、内窓の下枠の上端が新設床材の上面と略同じ高さであり、新設床材の室外側端部にアングルが設けてあり、縦カバー材の下端部に小口キャップが取付けてあり、小口キャップが新設床材上に載置してあることを特徴とする窓。
【請求項２】
見切材と、既設床材の上に重ねて設けた断熱パネルと、断熱パネルの上に重ねて設けた新設床材と、内窓とを備え、見切材は、ふかし枠と、ふかし枠の室内側に取付けたカバー材とからなり、内窓の下枠と既設床材の間に高さ調整材が設けてあり、内窓の下枠の上端が新設床材の上面と略同じ高さであり、新設床材の室外側端部にアングルが設けてあることを特徴とする窓。
【請求項３】
ふかし枠と、ふかし枠の室内側に取付けたカバー材と、縦カバー材の下端部に設けた小口キャップを備え、小口キャップは、カバー材から張出す隙間塞ぎ部を室内側に有し、隙間塞ぎ部は、既設床材の上に重ねて設けた新設床材の切欠きと縦カバー材との隙間を覆っていることを特徴とする窓。
【発明の詳細な説明】
【技術分野】
【０００１】
本発明は、断熱性を向上するために改修した窓に関する。
【背景技術】
【０００２】
断熱性を向上するため、既存の窓の室内側に内窓を設置することが従来より行われている。内窓は、既存の額縁の内周側に取付けられるが、既存の額縁の見込み寸法が足りない場合に、既存の額縁の室内側にふかし枠を取付け、額縁を室内側に延長することも知られている（例えば、非特許文献１参照。）。
従来のものは、窓自体の断熱性を向上するだけで、床も含めた断熱改修に対応できるものは無かった。
【先行技術文献】
【特許文献】
【０００３】
【非特許文献１】三協立山アルミ株式会社発行のカタログ「リフォーム商品  総合カタログ」（カタログＮｏ．ＳＴＪ０７１９Ａ  Ｃ．１２．０４−１６０）、２０１２年４月、ｐ．６４８〜６５３
【発明の概要】
【発明が解決しようとする課題】
【０００４】
本発明は以上に述べた実情に鑑み、床も含めた断熱改修に対応できる窓の提供を目的とする。
【課題を解決するための手段】
【０００５】
上記の課題を達成するために請求項１記載の発明による窓は、見切材と、既設床材の上に重ねて設けた新設床材と、内窓とを備え、見切材は、ふかし枠と、ふかし枠の室内側に取付けたカバー材とからなり、内窓の下枠の上端が新設床材の上面と略同じ高さであり、新設床材の室外側端部にアングルが設けてあり、縦カバー材の下端部に小口キャップが取付けてあり、小口キャップが新設床材上に載置してあることを特徴とする。
【０００６】
請求項２記載の発明による窓は、見切材と、既設床材の上に重ねて設けた断熱パネルと、断熱パネルの上に重ねて設けた新設床材と、内窓とを備え、見切材は、ふかし枠と、ふかし枠の室内側に取付けたカバー材とからなり、内窓の下枠と既設床材の間に高さ調整材が設けてあり、内窓の下枠の上端が新設床材の上面と略同じ高さであり、新設床材の室外側端部にアングルが設けてあることを特徴とする。
【０００７】
請求項３記載の発明による窓は、ふかし枠と、ふかし枠の室内側に取付けたカバー材と、縦カバー材の下端部に設けた小口キャップを備え、小口キャップは、カバー材から張出す隙間塞ぎ部を室内側に有し、隙間塞ぎ部は、既設床材の上に重ねて設けた新設床材の切欠きと縦カバー材との隙間を覆っていることを特徴とする。
【発明の効果】
【０００８】
請求項１記載の発明による窓は、内窓を設けることで窓の断熱性が向上し、既設床材の上に新設床材を重ねて設けることで、床の断熱性もあわせて向上できる。内窓の下枠の上端が新設床材の上面と略同じ高さであるため、内窓の下枠が床面より低く、段差ができることがないので、内窓の下枠が通行の妨げとなりにくく、且つ内観意匠がすっきりする。新設床材の室外側端部にアングルを設けることで、新設床材の小口がアングルで覆われているので、意匠性が良く、新設床材の端部を損傷しない。さらに縦カバー材の下端部に小口キャップが取付けてあり、小口キャップが新設床材上に載置してあることで、縦カバー材と新設床材との間に隙間があかないので、意匠性が良い。
【０００９】
請求項２記載の発明による窓は、既設床材の上に断熱パネルを重ねて設け、断熱パネルの上に新設床材を重ねて設けることで、床の断熱性をより一層向上できる。内窓の下枠と既設床材の間に高さ調整材を設けることで、内窓の下枠の上端を新設床材の上面と略同じ高さにしたので、内窓の下枠が床面より低く、段差ができることがないので、内窓の下枠が通行の妨げとなりにくく、且つ内観意匠がすっきりする。新設床材の室外側端部にアングルを設けることで、新設床材の小口がアングルで覆われるため、意匠性が良く、新設床材の端部を損傷しない。
【００１０】
請求項３記載の発明による窓は、縦カバー材の下端部に設けた小口キャップに、カバー材から張出す隙間塞ぎ部を室内側に有し、隙間塞ぎ部で既設床材の上に重ねて設けた新設床材の切欠きと縦カバー材との隙間を覆っているため、縦カバー材と新設床材との間に隙間があかず、意匠性が良い。
【図面の簡単な説明】
【００１１】
【図１】本発明の窓の第１実施形態を示す縦断面図である。
【図２】第１実施形態の窓の横断面図である。
【図３】第１実施形態の窓の室内側正面図である。
【図４】（ａ）は縦カバー材の下端部に取付けられる小口キャップの平面図、（ｂ）は同正面図である。
【図５】本発明の窓の第２実施形態を示す縦断面図である。
【発明を実施するための形態】
【００１２】
以下、本発明の実施の形態を図面に基づいて説明する。図１〜３は、本発明の窓の第１実施形態を示している。本実施形態は、テラス窓（掃出し窓）の実施形態であって、室外側に既存の外窓１０が取付けられている窓開口部１１の室内側に内窓１を設け、既存壁２の室内側に断熱パネル３を貼り、既設床材２２の上に断熱パネル２３を重ねて設け、さらにその断熱パネル２３の上に新設床材２４を設けて、断熱性を向上させたものである。
内窓１は、上枠４ａと下枠４ｂと左右の竪枠４ｃ，４ｃとからなる枠４と、枠４内に引違い状に開閉自在に設けた外障子５ａと内障子５ｂとを備えるものであり、枠４と障子５ａ，５ｂの框は樹脂製である。
【００１３】
窓開口部１１の上部と左右の三方には木製の既存額縁６ａ，６ｂが設けられ、既存額縁６ａ，６ｂの室内側に見切材７ａ，７ｂをそれぞれ取付けて既存額縁６ａ，６ｂの内周側面を室内側に延長し、既存額縁６ａ，６ｂの内周側面と見切材７ａ，７ｂの内周側面とに跨って内窓１の枠４を取付けている。
各見切材７ａ，７ｂは、アルミの押出形材で形成したふかし枠８ａ，８ｂと、ふかし枠８ａ，８ｂの室内側に取付けた樹脂製のカバー材９ａ，９ｂとからなる。ふかし枠８ａ，８ｂは、既存額縁６ａ，６ｂの厚みと略同じ厚みを有し、室外側面を既存額縁６ａ，６ｂの室内側面に当接し、室内側からのネジ１２で既存額縁６ａ，６ｂに固定している。
カバー材９ａ，９ｂは、見込面カバー部１３と見付面カバー部１４とを有する断面Ｌ形に形成され、２箇所の爪部１５ａ，１５ｂをふかし枠８ａ，８ｂに引っ掛けるようにして、ふかし枠８ａ，８ｂに室内側から嵌合取付けしている。見込面カバー部１３は、ふかし枠８ａ，８ｂの外周をカバーすると共に、ふかし枠８ａ，８ｂの室外側面よりも室外側に突出している。見付面カバー部１４は、ふかし枠８ａ，８ｂの内周側面よりも内周側に突出しており、ふかし枠８ａ，８ｂの室内側と内窓１の枠４の室内側とを一体的に覆っている。見付面カバー部１４の内周縁１４ａは、内窓１の枠４の内周縁と一致している。見付面カバー部１４の内周縁部の室内側には、軟質樹脂よりなるシール部１６が一体成形され、このシール部１６が内窓１の枠４の内周縁部に当接している。
【００１４】
図３に示すように、縦カバー材９ｂの上下端部には樹脂製の小口キャップ１７，２９が取付けてあり、小口キャップ１７，２９により縦カバー材９ｂ及び縦ふかし枠８ｂの小口を隠している。横カバー材９ａは、長手方向の端部を縦カバー材９ｂの見付面カバー部１４に呑み込ませてある。
【００１５】
既存壁２の室内側に設けられる断熱パネル３は、真空断熱材を用いたものであり、より詳細には鋼板を弁当箱状に折り曲げた内部にウレタン樹脂を吹き付け、ウレタン樹脂に接するように真空断熱材を配置し、さらにその上からウレタン樹脂を吹き付けたものを断熱パネルとしている。断熱パネル３の厚みは、１４ｍｍである。断熱パネル３の表面には、壁紙やクロス等の化粧材を貼ることができる。なお断熱パネル３は、上記のものに限らず、グラスウールやウレタンパネル、ハニカムボードなど、断熱性を有するもの全てが含まれる。
断熱パネル３の小口３ａは、図１，２に示すように、カバー材９ａ，９ｂの見込面カバー部１３にほぼ当接するようにしている。断熱パネル３の小口３ａは、見込面カバー部１３にぴったり当接していてもよいし、１〜２ｍｍ程度の隙間があってもよい。断熱パネル３と見込面カバー部１３との間の隅角部には、シーリング材１８を打設している。
【００１６】
図１，２に示すように、三方の既存額縁６ａ，６ｂ及びふかし枠８ａ，８ｂの内周側面には、樹脂プレート１９が跨って設けてある。樹脂プレート１９の室外側の端部１９ａは、既存の外窓１０の枠のアングル２０に突き当てられ、アングル２０と樹脂プレート１９とが略面一状となっている。樹脂プレート１９の室内側の端部１９ｂは、見切材７ａ，７ｂ（ふかし枠８ａ，８ｂ又はカバー材９ａ，９ｂ）に当接して隠れている。樹脂プレート１９は、裏面にスジ状の折り取り溝２１が見込方向に間隔をおいて複数設けてあり、折り取り溝２１で適宜折り取ることで、既存額縁６ａ，６ｂとふかし枠８ａ，８ｂの見込寸法に合わせて、見込寸法を調節できるようになっている。また樹脂プレート１９は、既存額縁６ａ，６ｂ及びふかし枠８ａ，８ｂの内周側面に両面テープや接着剤で取付けてあり、容易に交換できるようにしてある。
【００１７】
既設床材２２の上に重ねて設けられる断熱パネル２３は、既存壁２の室内側に設けられる断熱パネル３と同様に真空断熱材を使用したものを用いている。内窓１の下枠４ｂと既設床材２２の間には、図１に示すように、高さ調整材２５が設けてあり、これにより内窓１の下枠４ｂの上端２６を新設床材２４の上面と略同じ高さにしている。高さ調整材２５の厚みは、断熱パネル２３の厚みと略同じになっている。既設の外窓１０の枠のアングル２０と高さ調整材２５の間の既設床材２２の上面には、樹脂プレート１９が設けてある。壁の断熱パネル３の下端部と新設床材２４の室外側端部との間のコーナー部には、図２，３に示すように、巾木３６を取付けている。
【００１８】
内窓１の枠４は、壁の断熱パネル３よりも室内側に出っ張っているため、新設床材２４は図２に示すように、内窓１の下枠４ｂ、竪枠４ｃ及び見切材７ｂを逃がすように、室外側に切り欠き２７を設けている。新設床材２４の室外側端部、内窓１の下枠４ｂと対向する部分には、樹脂製のアングル２８を取付けている。
【００１９】
縦カバー材９ｂの下端部に取付けられる小口キャップ２９は、図４に示すように、縦カバー材９ｂの小口に当接する小口当接部３０と、小口当接部３０より上方に突出し縦カバー材９ｂの中空部に挿入される挿入部３１を有すると共に、縦カバー材９ｂより張り出す板状の隙間塞ぎ部３２を室内側に有している。隙間塞ぎ部３２は、縦カバー材９ｂの見付面カバー部１４より室内側に１５ｍｍ張り出し、見込面カバー部１３より外周側に５ｍｍ張り出している。小口当接部３０は、隙間塞ぎ部３２の上面よりも若干低い位置に設けてある。
小口キャップ２９は、挿入部３１を縦カバー材９ｂの中空部に挿入して縦カバー材９ｂの下端部に取付けられ、縦カバー材９ｂは予め小口キャップ２９を取付けた上でふかし枠８ｂに嵌合取付けされ、取付けると小口キャップ２９が新設床材２４上に載置される。小口キャップ２９は、縦カバー材９ｂの室内側と外周側に張り出す板状の隙間塞ぎ部３２を有しているので、図２に示すように、隙間塞ぎ部３２により新設床材２４の切り欠き２７と縦カバー材９ｂとの隙間が覆われる。また、アングル２８の長手方向の端部が隙間塞ぎ部３２に呑み込まれており、アングル２８の小口が露出しない。小口キャップ２９は、縦カバー材９ｂにネジ止めされていないので、縦カバー材９ｂの加工が不要であり、縦カバー材９ｂが熱で収縮しても不具合が生じない。
【００２０】
次に、本窓の施工手順の一例を述べる。まず、既存額縁６ａ，６ｂの室内側にふかし枠８ａ，８ｂを取付ける。次に、既存額縁６ａ，６ｂ及びふかし枠８ａ，８ｂの内周に樹脂プレート１９を取付け、既設床材２２上に樹脂プレート１９と高さ調整材２５を取付ける。次に、樹脂プレート１９及び高さ調整在２５の上から内窓１の枠４を取付ける。次に、既設床材２２上に断熱パネル２３及び新設床材２４を重ねて設ける。次に、予め小口キャップ１７，２９を上下端部に取付けたカバー材９ａ，９ｂをふかし枠８ａ，８ｂに室内側から嵌合取付けする。その後、既存壁２の室内側に断熱パネル３を取付け、断熱パネル３の小口３ａをカバー材９ａ，９ｂの見込面カバー部１３に当接又は近接させる。
【００２１】
以上に述べたように本実施形態の窓は、内窓１を設けることで窓自体の断熱性が向上することに加え、既存壁２の室内側に断熱パネル３を設け、さらに既設床材２２の上に断熱パネル２３を重ねて設けたことで、壁と床の断熱性もあわせて向上させられ、部屋全体の断熱性を向上させることができる。内窓１の下枠４ｂの上端２６が新設床材２４の上面と略同じ高さであるため、内窓１の下枠４ｂが床面より低く、段差ができることがないので、内窓１の下枠４ｂが通行の妨げとなりにくく、バリアフリーに配慮したリフォームが可能である。また、内窓１の下枠４ｂが床面から飛び出さないことで、カバー材９ａ，９ｂによりふかし枠８ａ，８ｂと内窓１の枠４を覆ったこととあわせて、内観意匠がすっきりする。新設床材２４の室外側端部にアングル２８を設けることで、新設床材２４の小口がアングル２８で覆われているので、意匠性が良く、新設床材２４の端部を損傷しない。さらに縦カバー材９ｂの下端部に小口キャップ２９が取付けてあり、小口キャップ２９が新設床材２４上に載置してあることで、縦カバー材９ｂと新設床材２４との間に隙間があかないので、意匠性が良い。また、縦カバー材９ｂの小口が新設床材２４を傷付けることも防止できる。
小口キャップ２９は、縦カバー材９ｂの室内側及び外周側に張り出す隙間塞ぎ部３２を有しているので、新設床材２４に切り欠き２７を荒く大きめに設けたとしても、切り欠き２７と縦カバー材９ｂの隙間を隙間塞ぎ部３２で隠すことができるので、新設床材２２の窓枠近傍の加工を単純化できる。
本窓は、既存壁２、既存額縁６ａ，６ｂ及び既設床材２２をそのまま利用するため、施工が容易である。
【００２２】
図５は、本発明の窓の第２実施形態を示しており、第１実施形態において既設床材２２と新設床材２４の間の断熱パネル２３を省略したものに相当する。このように断熱パネル２３を省略した場合でも、新設床材２４を既設床材２２の上に重ねて設けることで、床の断熱性を向上することができる。また、新設床材２４として断熱材を一体に備えるものを用いることで、床の断熱性を一層向上することができる。縦カバー材９ｂの下端部には、第１実施形態と同様の小口キャップ２９が取付けられ、小口キャップ２９を新設床材２４の上に載置している。
既設床材２２上には、樹脂プレート１９が既存の外窓１０の枠のアングル２０の室内側の縁から新設床材２４の室外側端部のアングル２８に当接する位置まで設けてあり、内窓１の下枠４ｂを高さ調整材２５を介することなく、樹脂プレート１９を挟んで既設床材２２上に取付けている。内窓１の下枠４ｂの上端２６は、新設床材２４の上面と略同じ高さとなっている。
【００２３】
このように、既設・新設床材２２，２４間に断熱パネル２３を設ける場合は高さ調整材２５を用い、断熱パネル２３を設けない場合には高さ調整材２５を省くことで、何れの場合も内窓１の下枠４ｂの上端２６を新設床材２４の上面と略同じ高さとすることができる。
【００２４】
以上に述べたように、本発明は様々な窓に対して、壁、床、額縁も含めてリフォームが行え、これにより断熱性と意匠性を向上できるものである。本発明の窓は、既設床材２２上に断熱パネル２３及び新設床材２４を設ける場合と、新設床材２４のみを設ける場合の何れにも対応でき、施工主の求めに応じて断熱性のグレードを適宜選択することができる。
【００２５】
本発明は以上に述べた実施形態に限定されない。外窓１０及び内窓１の窓種は任意であり、引き違い窓に限らず、開き窓やすべり出し窓等であってもよい。内窓１は、樹脂サッシが好ましいが、アルミサッシや木製サッシであってもよい。見切材７ａ，７ｂ（ふかし枠８ａ，８ｂ及びカバー材９ａ，９ｂ）の断面形状や材質は、適宜変更することができる。額縁には、柱や敷居、鴨居など、窓開口部の内周部に設けられる全ての部材が含まれる。既存額縁の内周側を被覆する被覆材は、樹脂プレートの他、木質シートや断熱性を有するフィルム材等でもよい。カバー材９ｂの下端部に取付けられる小口キャップ２９は、カバー材９ｂより張り出す隙間塞ぎ部３２を室内側に有さず、単にカバー材９ｂの小口を覆うだけのものであってもよい。
【符号の説明】
【００２６】
１  内窓
２  既存壁
３  断熱パネル（壁）
３ａ  断熱パネルの小口
４  内窓の枠
４ｂ  内窓の下枠
５ａ  外障子
５ｂ  内障子
６ａ，６ｂ  既存額縁
７ａ，７ｂ  見切材
８ａ，８ｂ  ふかし枠
９ａ，９ｂ  カバー材（樹脂カバー材）
１０  外窓
１１  窓開口部
１３  見込面カバー部
１４  見付面カバー部
１９  樹脂プレート（被覆材）
２２  既設床材
２３  断熱パネル（床）
２４  新設床材
２５  高さ調整材
２７  新設床材の切り欠き
２８  アングル
２９  小口キャップ
３２  隙間塞ぎ部
【図１】
2014091919.tif 000003
【図２】
2014091919.tif 000004
【図３】
2014091919.tif 000005
【図４】
2014091919.tif 000006
【図５】
2014091919.tif 000007